(57)【要約】【課題】見た目がスマートで、しかも開脚運動性に優れたズボンを提供する。【解決手段】左右それぞれの前身頃１１の股内側側縁１１ａと後身頃１２の股内側側縁１２ａとを接合すると共に、前身頃の股外側側縁と後身頃の股外側側縁とを接合することにより構成されたズボンにおいて、前身頃の股内側側縁と後身頃の股内側側縁の位置を、開脚時に大きく伸縮する領域と伸縮しにくい領域との境界線Ｐの位置までそれぞれ前側と後側にずらして設定し、それらずらした位置にある前身頃の股内側側縁１１ａと後身頃の股内側側縁１１ａの間のスペースに襠部１３を介在させ、該襠部の前後方向における中央部の丈方向寸法Ｌ２を、位置をずらす前の前身頃の股内側側縁と後身頃の股内側側縁の丈方向寸法Ｌ１よりも長く設定した上で、襠部の前側側縁１３ａと前身頃の股内側側縁１１ａとを縫い合わせると共に、襠部の後側側縁１３ｂと後身頃の股内側側縁１２ａとを縫い合わせた。【選択図】図３
2010090483.tif 000002
【特許請求の範囲】
【請求項１】
左右それぞれの前身頃の股内側側縁と後身頃の股内側側縁とを接合すると共に、前身頃の股外側側縁と後身頃の股外側側縁とを接合することにより構成されたズボンにおいて、
前記前身頃の股内側側縁と後身頃の股内側側縁の位置を、少なくとも開脚時に伸縮しにくい位置までそれぞれ前側と後側にずらして設定し、それらずらした位置にある前身頃の股内側側縁と後身頃の股内側側縁の間のスペースに襠部を介在させ、該襠部の前後方向における中央部の丈方向寸法を、位置をずらす前の前記前身頃の股内側側縁と後身頃の股内側側縁の丈方向寸法よりも長く設定した上で、前記襠部の前側側縁と前記前身頃の股内側側縁とを縫い合わせると共に、前記襠部の後側側縁と前記後身頃の股内側側縁とを縫い合わせたことを特徴とするズボン。
【請求項２】
請求項１に記載のズボンにおいて、
前記前身頃および前記後身頃の各股内側側縁と前記襠部の縫い目の位置が、前方および後方から見た際に股内側の目立ちにくい位置にあることを特徴とするズボン。
【請求項３】
請求項１に記載のズボンにおいて、
前記前身頃および前記後身頃の各股内側側縁と前記襠部の縫い目の位置が、閉脚時と開脚時で内股側の皮膚の伸縮が多い位置と少ない位置の境界に設定されていることを特徴とするズボン。
【請求項４】
請求項１〜３のいずれか１項に記載のズボンおいて、
前記襠部は、少なくとも股下部分において両足側が縫い目無しで一体に構成されていることを特徴とするズボン。
【請求項５】
型紙に従い材料布より前身頃と後身頃を裁断し、左右それぞれの前身頃の股内側側縁と後身頃の股内側側縁とを接合し、前身頃の股外側側縁と後身頃の股外側側縁とを接合してズボンを製造する方法において、
前記型紙の段階で、
前記前身頃の型紙の股内側側縁と前記後身頃の型紙の股内側側縁の位置を、開脚時に大きく伸縮する領域と伸縮しにくい領域との境界線の位置で前記型紙を裁断することにより、前記境界線の位置までそれぞれ前側と後側にずらして設定し、
前記裁断により前記前身頃の型紙より切り離された第１片と前記後身頃の型紙より切り離された第２片の前後側縁が曲線を描く膝上側の部分を、それぞれ上下方向に複数の小片に多分割し、
前記第１片側の複数の小片を、前記第１片の前側側縁の丈方向寸法を維持しつつ、各小片の後側側縁が前記第１片の裾から直上する線上に並ぶように置き直すことで、前記第１片の形状を修正し、
前記第２片側の複数の小片を、前記第２片の後側側縁の丈方向寸法を維持しつつ、各小片の前側側縁が前記第２片の裾から直上する線上に並ぶように置き直すことで、前記第２片の形状を修正し、
修正後のそれぞれ直線上に位置する前記第１片の後側側縁と前記第２片の前側側縁とを合わせて前記第１片と第２片を合体した上で、前身頃および後身頃との縫い合わせ部分の寸法修正を加えることにより、前記ずらした位置にある前身頃の型紙の股内側側縁と後身頃の型紙の股内側側縁の間のスペースに嵌まる襠部の型紙を形成し、
それら型紙に従い材料布より前身頃と後身頃と襠部とを裁断し、左右それぞれの前身頃の股内側側縁と襠部の前側側縁とを縫い合わせ、後身頃の股内側側縁と襠部の後側側縁とを縫い合わせ、更に前身頃の股外側側縁と後身頃の股外側側縁とを縫い合わせることによりズボンを製造することを特徴とするズボンの製造方法。
【発明の詳細な説明】
【技術分野】
【０００１】
本発明は、ズボン及びその製造方法に関し、特に、運送業の配達員などが着用するのに適したものに係わる。
【背景技術】
【０００２】
この種のズボンは、一般に左右一対の前身頃と左右一対の後身頃とから主に構成されている。また、特許文献１に示されるように、前身頃と後身頃に加えて内股部分に襠部を追加したものもある。
【特許文献１】特開２００１−１９２９０９号公報
【発明の開示】
【発明が解決しようとする課題】
【０００３】
ところで、前身頃と後身頃だけで構成したズボンは、見た目はスマート（いわゆる「シルエット」が良いと言う）であるが、開脚運動性に劣る。また、内股部分に襠部を追加した特許文献１に記載のズボンは、開脚運動性には優れるが、単に襠部を追加しただけであるのでスマートさに欠ける。特に運送業の配達員などが着用する作業用のズボンは、だぶついていると危険でもある。
【０００４】
本発明は、上記事情を考慮し、見た目がスマートであり、しかも開脚運動性に優れたズボン、および、その製造方法を提供することを目的とする。
【課題を解決するための手段】
【０００５】
請求項１の発明のズボンは、左右それぞれの前身頃の股内側側縁と後身頃の股内側側縁とを接合すると共に、前身頃の股外側側縁と後身頃の股外側側縁とを接合することにより構成されたズボンにおいて、前記前身頃の股内側側縁と後身頃の股内側側縁の位置を、少なくとも開脚時に伸縮しにくい位置までそれぞれ前側と後側にずらして設定し、それらずらした位置にある前身頃の股内側側縁と後身頃の股内側側縁の間のスペースに襠部を介在させ、該襠部の前後方向における中央部の丈方向寸法を、位置をずらす前の前記前身頃の股内側側縁と後身頃の股内側側縁の丈方向寸法よりも長く設定した上で、前記襠部の前側側縁と前記前身頃の股内側側縁とを縫い合わせると共に、前記襠部の後側側縁と前記後身頃の股内側側縁とを縫い合わせたことを特徴とする。
【０００６】
請求項２の発明は、請求項１に記載のズボンにおいて、前記前身頃および前記後身頃の各股内側側縁と前記襠部の縫い目の位置が、前方および後方から見た際に股内側の目立ちにくい位置にあることを特徴とする。
【０００７】
請求項３の発明は、請求項１に記載のズボンにおいて、前記前身頃および前記後身頃の各股内側側縁と前記襠部の縫い目の位置が、閉脚時と開脚時で内股側の皮膚の伸縮が多い位置と少ない位置の境界に設定されていることを特徴とする。
【０００８】
請求項４の発明は、請求項１〜３のいずれか１項に記載のズボンおいて、前記襠部は、少なくとも股下部分において両足側が縫い目無しで一体に構成されていることを特徴とする。
【０００９】
請求項５の発明のズボンの製造方法は、型紙に従い材料布より前身頃と後身頃を裁断し、左右それぞれの前身頃の股内側側縁と後身頃の股内側側縁とを接合し、前身頃の股外側側縁と後身頃の股外側側縁とを接合してズボンを製造する方法において、前記型紙の段階で、前記前身頃の型紙の股内側側縁と前記後身頃の型紙の股内側側縁の位置を、開脚時に大きく伸縮する領域と伸縮しにくい領域との境界線の位置で前記型紙を裁断することにより、前記境界線の位置までそれぞれ前側と後側にずらして設定し、前記裁断により前記前身頃の型紙より切り離された第１片と前記後身頃の型紙より切り離された第２片の前後側縁が曲線を描く膝上側の部分を、それぞれ上下方向に複数の小片に多分割し、前記第１片側の複数の小片を、前記第１片の前側側縁の丈方向寸法を維持しつつ、各小片の後側側縁が前記第１片の裾から直上する線上に並ぶように置き直すことで、前記第１片の形状を修正し、前記第２片側の複数の小片を、前記第２片の後側側縁の丈方向寸法を維持しつつ、各小片の前側側縁が前記第２片の裾から直上する線上に並ぶように置き直すことで、前記第２片の形状を修正し、修正後のそれぞれ直線上に位置する前記第１片の後側側縁と前記第２片の前側側縁とを合わせて前記第１片と第２片を合体した上で、前身頃および後身頃との縫い合わせ部分の寸法修正を加えることにより、前記ずらした位置にある前身頃の型紙の股内側側縁と後身頃の型紙の股内側側縁の間のスペースに嵌まる襠部の型紙を形成し、それら型紙に従い材料布より前身頃と後身頃と襠部とを裁断し、左右それぞれの前身頃の股内側側縁と襠部の前側側縁とを縫い合わせ、後身頃の股内側側縁と襠部の後側側縁とを縫い合わせ、更に前身頃の股外側側縁と後身頃の股外側側縁とを縫い合わせることによりズボンを製造することを特徴とする。
【発明の効果】
【００１０】
請求項１の発明によれば、それぞれ前側と後側に位置をずらして設定した前身頃の股内側側縁と後身頃の股内側側縁の間に襠部を介在させ、その襠部の前後方向中央部の丈方向寸法を、位置をずらす前の前身頃の股内側側縁と後身頃の股内側側縁の丈方向寸法よりも長く設定したので、見た目のスマートさを保ちつつ、良好な開脚運動性を発揮することができる。
【００１１】
請求項２の発明によれば、前身頃および後身頃の各股内側側縁と襠部の縫い目の位置を、前方および後方から見た際に股内側の目立ちにくい位置に設定したので、見た目を良くすることができる。
【００１２】
請求項３の発明によれば、開脚時には襠部によって突っ張り感が出ないため、開脚運動性を確実に向上させることができる。また、襠部の範囲をできるだけ内股の領域に留めることができ、縫い目を目立たないようにすることができる。
【００１３】
請求項４の発明によれば、縫い目が股間部に位置しないため、縫い目によるごわごわ感（こわばり感）を無くすことができる。
【００１４】
請求項５の発明によれば、請求項１の発明のズボンを容易に製造することができる。
【発明を実施するための最良の形態】
【００１５】
以下、本発明の実施形態を図面を参照しながら説明する。
【００１６】
図１は実施形態のズボンの正面図、図２は同ズボンの後面図、図３は同ズボンの上半部の左側から見た側面図、図４は同ズボンの左足部分を右足部分の上に股下位置で折り曲げて重ねた状態を示す要部構成図、図５は同ズボンの着用時における図３のＡ−Ａ線に沿う断面図、図６は同ズボンを構成する前身頃と後身頃と襠部の構成を示す平面図、図７は前身頃と後身頃だけでズボンを構成する一般の場合の右足部分の型紙の平面図、図８〜図１３は図７の型紙を元に襠部の型紙を作成する場合の手順を示す図で、図８は最初の工程を示す図、図９は図８の次の工程を示す図、図１０は図９の次の工程を示す図、図１１は図１０の次の工程を示す図、図１２は図１１の次の工程を示す図、図１３は図８〜図１２までの工程で得られた本実施形態のズボンの右足部分の型紙の構成を示す平面図である。
【００１７】
図１、図２に示すように、このズボン１０は、左右一対の前身頃１１と、左右一対の後身頃１２と、内股側の襠部１３とを縫い合わせたものである。襠部１３は、右足部分１０Ｒの裾から左足部分１０Ｌの裾まで連続して設けられている。
【００１８】
図３に示すように、前身頃１１の股内側側縁１１ａと後身頃１２の股内側側縁１２ａの位置は、開脚時に大きく伸縮する領域と伸縮しにくい領域との境界線Ｐ（図８参照）の位置までそれぞれ前側と後側にずらして設定されている。図中Ｑで示す線は、襠部１３を追加しない従来の場合の前身頃の股内側側縁と後身頃の股内側側縁との縫い目の位置である。なお、図３の左側は前側Ｆ、右側は後側Ｒである。
【００１９】
襠部１３は、前側と後側にずらした位置にある前身頃１１の股内側側縁１１ａと後身頃１２の股内側側縁１２ａの間のスペースに介在されており、この襠部１３の前後方向中央部の腿上部の丈方向寸法Ｌ２は、位置をずらす前の前身頃の股内側側縁と後身頃の股内側側縁の位置（Ｑの位置）における腿上部の丈方向寸法Ｌ１よりも長く設定されている。これにより、図４に示すように、襠部１３の股下中央部分の開脚方向の長さＬ３が従来のものよりも長くなっている。
【００２０】
そして、図６に示すように、裁断された３パーツ１３Ａ，１３Ｂ，１３Ｃからなる襠部１３を縫い合わせて一体の襠部１３を作製し、この襠部１３と同じく裁断された前身頃１１と後身頃１２とを縫い合わせることで、実施形態のズボン１０が作製されている。即ち、左右それぞれの襠部１３の前側側縁１３ａと前身頃１１の股内側側縁１１ａとを縫い目２２にて縫い合わせると共に、襠部１３の後側側縁１３ｂと後身頃１２の股内側側縁１２ａとを縫い目２３にて縫い合わせ、左右の前身頃１１の股外側側縁１１ｂと後身頃１２の股外側側縁１２ｂとを図示しない縫い目で縫い合わせ、更に、左右の前身頃１１の胴部同士をチャック部材（図示せず）を介して縫い合わせ、左右の後身頃１２の胴部同士を縫い目２１で縫い合わせて胴部を拵えることにより、実施形態のズボン１０が作製されている。
【００２１】
この縫い合わせた状態で、前身頃１１および後身頃１２の各股内側側縁１１ａ、１２ａと襠部１３の縫い目２２、２３の位置が、前方および後方から見た際に股内側の目立たない位置にある。又、前身頃１１および後身頃１２の各股内側側縁１１ａ，１２ａと襠部１３の縫い目２２，２３の位置は、閉脚時と開脚時で内股側の皮膚の伸縮が多い位置と少ない位置の境界に設定されている。つまり、この実施形態では双方の条件が一致する位置となっている。
【００２２】
また、襠部１３は、少なくとも股下部分において両足側が縫い目無しで一体に構成されており、ここでは、股下部分１３１が一体の連続布で形成され、それに連なる腿下部分１３２が、縫い目２４にて別の布を継いで構成されている。
【００２３】
次に、このズボン１０を得るための製造方法について説明する。
【００２４】
最終的には、図６に示すような形状に布を裁断して縫製するのであるが、まず、型紙を作る手順について、図７〜図１３を参照しながら述べる。ここでは、右足側の型紙だけを図に示して説明する。また、型紙と布の符号を同一にして説明する。
【００２５】
最初に、前身頃と後身頃だけでズボンを構成する従来の場合の型紙を用意する。図７は従来の型紙を示し、１１は前身頃で、１１ａは股内側側縁、１１ｂは股外側側縁、１２は後身頃で、１２ａは股内側側縁、１２ｂは股外側側縁である。
【００２６】
この型紙の段階で、図８に示すように、前身頃１１および後身頃１２の開脚時に大きく伸縮する領域Ｓ２と伸縮しにくい領域Ｓ２との境界線Ｐを決定する。
【００２７】
次に、図９に示すように、その境界線Ｐで型紙をカット（裁断）し、前身頃１１の型紙の股内側側縁１１ａと、後身頃１２の型紙の股内側側縁１２ａの各位置を、カットした位置に新たに設定する。つまり、開脚時に大きく伸縮する領域Ｓ２と伸縮しにくい領域Ｓ１との境界線Ｐの位置で型紙を裁断することにより、境界線Ｐの位置まで、前身頃１１の股内側側縁１１ａと、後身頃１２の股内側側縁１２ａの位置をそれぞれ前側と後側にずらす。
【００２８】
次に、図１０に示すように、カットにより前身頃１１の型紙より切り離された第１片１１１と後身頃１２の型紙より切り離された第２片１１２の前後側縁が曲線を描く膝上側の部分を、それぞれ上下方向に複数の小片１１１ａ、１１２ａに多分割する。
【００２９】
そして、図１１に示すように、第１片１１１側の複数の小片１１１ａを、第１片１１１の前側側縁１１１ｃの丈方向寸法を維持しつつ、各小片１１１の後側側縁１１１ｄが第１片１１１の裾Ｅから直上する線Ｒ１上に並ぶように置き直すことで、第１片１１１の形状を修正する。つまり、各小片１１１ａの図中Ｋ１点を基点として、直線Ｒ１上に後側側縁１１１ｄが並ぶように、小片１１１ａを置き直すことで、第１片１１１の形状を修正する。
【００３０】
また、同様に、第２片１１２側の複数の小片１１２ａを、第２片１１２の後側側縁１１２ｃの丈方向寸法を維持しつつ、各小片１１１の前側側縁１１２ｄが第２片１１２の裾Ｅから直上する線Ｒ２上に並ぶように置き直すことで、第２片１１２の形状を修正する。つまり、各小片１１２ａの図中Ｋ２点を基点として、直線Ｒ２上に前側側縁１１２ｄが並ぶように、小片１１２ａを置き直すことで、第２片１１２の形状を修正する。
【００３１】
次いで、図１２および図１３に示すように、修正後のそれぞれ直線Ｒ１、Ｒ２上に位置する第１片１１１の後側側縁１１１ｄと第２片１１２の前側側縁１１２ｄとを合わせて第１片１１１と第２片１１２を合体した上で、前身頃１１および後身頃１２との縫い合わせ部分の寸法修正１０２〜１０３を上部に加えることにより、ずらした位置にある前身頃１１の型紙の股内側側縁１１ａと後身頃１２の型紙の股内側側縁１２ａの間のスペースに嵌まる襠部１３の型紙を形成する。
【００３２】
そして、それら型紙に従い材料布より前身頃１１と後身頃１２と襠部１３とを裁断し、左右それぞれの前身頃１１の股内側側縁１１ａと襠部１３の前側側縁１３ａとを縫い合わせ、後身頃１２の股内側側縁１２ａと襠部１３の後側側縁１３ｂとを縫い合わせ、更に前身頃１１の股外側側縁１１ｂと後身頃１２の股外側側縁１２ｂとを縫い合わせた上で、左右の前身頃１１と後身頃１２を縫い合わせて胴部を拵えることにより、ズボン１０を作製する。
【００３３】
このように作製したズボン１０によれば、それぞれ前側と後側に位置をずらして設定した前身頃１１の股内側側縁１１ａと後身頃１２の股内側側縁１２ａの間のスペースに襠部１３を介在させ、その襠部１３の前後方向中央部の丈方向寸法Ｌ２を、位置をずらす前の前身頃の股内側側縁と後身頃の股内側側縁の丈方向寸法Ｌ１よりも長く設定しているので、見た目のスマートさを保ちつつ、良好な開脚運動性を発揮することができる。即ち、図５に示すように、内股部分に余裕を持たせることができ、開脚運動性を向上させることができる。尚、図５では、襠部１３の寸法を明確化のため誇張して表示してある。
【００３４】
また、前身頃１１および後身頃１２の各股内側側縁１１ａ、１２ａと襠部１３の縫い目の位置を、前方および後方から見た際に股内側に隠れる位置に設定しているので、見た目を良くすることができる。また、前身頃１１および後身頃１２の各股内側側縁１１ａ，１２ａと襠部１３の縫い目２２，２３の位置を、閉脚時と開脚時で内股側の皮膚の伸縮がある位置とない位置の境界に設定しているので、閉脚時には襠部１３によって突っ張り感が出ないため、開脚運動性を確実に向上させることができる。また、襠部１３の範囲をできるだけ内股の領域に留めることができ、縫い目２２、２３を目立たないようにすることができる。また、このズボン１０では、襠部１３の繋ぎ用の縫い目２４が股間部に位置しないため、縫い目２４によるごわごわ感（こわばり感）を無くすことができる。
【図面の簡単な説明】
【００３５】
【図１】本発明の実施形態のズボンの正面図である。
【図２】同ズボンの後面図である。
【図３】同ズボンの上半部の左側から見た側面図である。
【図４】同ズボンの左足部分を右足部分の上に股下位置で折り曲げて重ねた状態を示す要部構成図である。
【図５】同ズボンの着用時における図３のＡ−Ａ線に沿う断面図でる。
【図６】同ズボンを構成する前身頃と後身頃と襠部の構成を示す平面図である。
【図７】前身頃と後身頃だけでズボンを構成する一般の場合の右足部分の型紙の平面図である。
【図８】図７の型紙を元に襠部の型紙を作成する場合の手順の最初の工程を示す図である。
【図９】図８の次の工程を示す図である。
【図１０】図９の次の工程を示す図である。
【図１１】図１０の次の工程を示す図である。
【図１２】図１１の次の工程を示す図である。
【図１３】図８〜図１２までの工程で得られた本実施形態のズボンの右足部分の型紙の構成を示す平面図である。
【符号の説明】
【００３６】
１０  ズボン
１１  前身頃
１１ａ  股内側側縁
１１ｂ  股外側側縁
１２  後身頃
１２ａ  股内側側縁
１２ｂ  股外側側縁
１３  襠部
１３ａ  前側側縁
１３ｂ  後側側縁
２２，２３  縫い目
１１１  第１片
１１１ａ  小片
１１１ｃ  前側側縁
１１１ｄ  後側側縁
１１２  第２片
１１２ａ  小片
１１２ｃ  後側側縁
１１２ｄ  前側側縁
Ｒ１  第１片の裾から直上する線
Ｒ２  第２片の裾から直上する線
Ｐ  境界線
Ｅ  裾
【図１】
2010090483.tif 000003
【図２】
2010090483.tif 000004
【図３】
2010090483.tif 000005
【図４】
2010090483.tif 000006
【図５】
2010090483.tif 000007
【図６】
2010090483.tif 000008
【図７】
2010090483.tif 000009
【図８】
2010090483.tif 000010
【図９】
2010090483.tif 000011
【図１０】
2010090483.tif 000012
【図１１】
2010090483.tif 000013
【図１２】
2010090483.tif 000014
【図１３】
2010090483.tif 000015